(57)【要約】【課題】ロータ１回転当たり任意の個数のパルス信号を取り出せる磁気センサを備えた流量計を提供する。【解決手段】１個の磁気センサ８で有底ロータ１回転当たり１個、２個または４個の流量パルスを選択可能に出力するように構成しているため、有底ロータ１回転当たりの希望の流量パルス数に応じてパルス発生回路８ｂの出力端を選択すればよく、希望の流量パルスが変更になっても、１個の磁気センサ８で対応でき、磁気センサ８の交換作業が不要となるばかりか、その在庫管理も極めて簡単となる。【選択図】図１
2005024304.tif 000002
【特許請求の範囲】
【請求項１】
液体の通過にともなって周回するマグネットが設けられたロータを備え、マグネットの周回軌道の中心側に位置して磁気抵抗素子を配置し、液体の通過にともなって磁気抵抗素子からマグネットの回転数を検出して、この回転数から液体の流量を検出するように構成した流量計において、
磁気抵抗素子に接続されるパルス発生回路を磁気抵抗素子の検出値の波形整形回路と、その分周回路と、逓倍回路とから構成し、各回路にそれぞれ出力端を設けて、これら出力端を選択して出力可能に構成したことを特徴とする流量計。
【発明の詳細な説明】
【０００１】
【発明の属する技術分野】
本発明は、液体の通過にともなって周回するマグネットが設けられたロータを備え、マグネットの周回軌道の中心側に位置して磁気抵抗素子を配置し、液体の通過にともなって周回するマグネットの回転数を磁気抵抗素子により検出して、この回転数から液体の流量を検出するように構成した流量計の改良に関する。
【０００２】
【従来の技術】
従来、液体の流量を計測する場合には、液体の通過にともなって回転するロータを備えた流量計が利用されている。この種流量計では、ロータにマグネットを埋設しておき、液体の通過にともなって周回するマグネットの回転数が隔壁を介して磁気センサで検出され、その回転数から液体の流量が算出されている。その際、磁気センサとしては、１個のマグネットと１個の磁気抵抗素子とによりロータ１回転当たり複数個の回転パルスを検出することができることから、特許第３２５１８５２号公報に記載の磁気センサを持つ流量計が創案されている。この磁気センサは、ロータの回転にともなって周回するマグネットの中心線上に位置する磁気抵抗素子を有し、その出力端には４個の流量パルスを出力するパルス発生回路が接続されている。また、前記磁気抵抗素子は周囲の４方向に磁気感度（Ｘ域、Ｙ域）の指向性を有しており、これら４方向でなす平面がマグネットの周回平面と平行に延びるように配置されている。
【特許文献】特許第３２５１８５２号公報
【０００３】
【発明が解決しようとする課題】
この流量計では、磁気センサはメンテナンスを容易にするため、磁気抵抗素子およびパルス発生回路を樹脂によりモールド成形し、パルス発生回路の出力端を外部に露出させている。そのため、磁気センサは流量計に一旦組み込まれると、流量計からはロータ１回転当たり４個の流量パルス以外には出力されず、ロータ１回転当たり１個、または２個の流量パルスが必要な場合には、あらかじめロータ１回転当たり１個または２個の流量パルスを出力できる磁気センサを用意しておき、これを交換せねばならず、その作業はもとよりその在庫管理も煩雑となる等の欠点が生じている。
【０００４】
本発明は、上記欠点の除去を目的に発明されたもので、ロータ１回転当たり任意の個数の流量パルスを取り出せる磁気センサを備えた流量計を提供しようとするものである。
【０００５】
【課題を解決するための手段】
液体の通過にともなって周回するマグネットが設けられたロータを備え、マグネットの周回軌道の中心側に位置して磁気抵抗素子を配置し、液体の通過にともなって磁気抵抗素子からマグネットの回転数を検出して、この回転数から液体の流量を検出するように構成した流量計において、
磁気抵抗素子に接続されるパルス発生回路を磁気抵抗素子の検出値の波形整形回路と、その分周回路と、逓倍回路とから構成し、各回路にそれぞれ出力端を設けて、これら出力端を選択して出力可能に構成している。
【０００６】
【発明の実施の形態】
以下、図面に基づき本発明の実施の形態を説明する。図２において、１は液体の流量を計測する流量計の一例のロータリピストン型流量計（以下、流量計という）であり、液体の流入口（図示せず）と流出口（図示せず）とこれらが連通する環状凹溝でなる計量室２ａと流入口および流出口間で環状凹部を仕切る仕切り板（図示せず）とを備えた流量計本体２を有している。この流量計本体２の中心部には前記環状凹部を形成する環状内壁２ｂが設けられており、この環状内壁２ｂの内方には偏心軸受３が流量計本体２の中心に植設された支軸２ｃを中心に回転自在に配置されている。また、前記流量計本体２には計量室２ａの内壁面と環状内壁２ｂの外周との間で揺動回転する筒状の有底ロータ４が底部を上方にして配置されている。この有底ロータ４の中心には中心軸４ａが配置され、この中心軸４ａは前記偏心軸受３に回転自在に保持され、流入口から液体が流入して流出口から排出されると、有底ロータ４が揺動回転可能に構成されている。
【０００７】
一方、前記有底ロータ４の底部中心にはマグネット５がＮ極およびＳ極を中心軸４ａの中心線上に位置するように植設されており、有底ロータ４の回転にともなって、マグネット５が一方の極を上方にして周回するように構成されている。
【０００８】
前記流量計本体２には計量室２ａを塞ぐように離隔板６を介して計量室蓋７が取り付けられており、この計量室蓋７内には前記マグネット５の周回を検出する磁気センサ８とその出力信号を受けて流量を表示する表示部９とが配置されている。前記磁気センサ８は、図１に示すように樹脂によりモールド成形された１個の磁性抵抗素子８ａとパルス発生回路８ｂと出力回路１０からなっており、磁気抵抗素子８ａがマグネット５の周回軌道の中心に位置するように構成されている。また、この磁気抵抗素子８ａは図３に示すように周囲の４方向に磁性感度（Ｘ域、Ｙ域）の指向性を持っており、これら４方向でなす平面がマグネット５の周回平面と平行に延びるように構成されている。
【０００９】
前記パルス発生回路８は、磁気抵抗素子８ａの出力信号を増幅する増幅回路８ｃと、その出力信号を波形整形して所定のパルス幅のパルス信号を出力する波形整形回路８ｄと、そのパルス信号を半減する分周回路８ｅと、前記パルス信号を倍増させる逓倍回路８ｆとからなっている。前記波形整形回路８ｄ、分周回路８ｅおよび逓倍回路８ｆはそれぞれ出力端を有し、これら出力端は外部に露出して設けられている。また、これら出力端近くには出力回路１０が配置されており、その入力端は外部に露出し、前記出力端のいずれか一つとリード線等により接続され、出力回路１０から有底ロータ１回転当たり希望の流量パルスが表示部９に出力されるように構成されている。
【００１０】
上記流量計では、液体が計量室２ａを通過するにともない偏心軸受３に保持された有底ロータ４が計量室２ａ内で揺動回転すると、その底部のマグネット５が磁気抵抗素子８ａを中心にして周回する。このマグネット５の周回にともなって、マグネット５が磁性抵抗素子８ａのＸ域を通過する時には、磁性抵抗素子８ａから＋方向の検出値が、また磁性抵抗素子８ａがＹ域を通過する時には−方向の検出値が検出され、有底ロータ１回転当たり＋、−の各方向に２回のピークが得られる。しかも、この検出値は増幅回路８ｃを介して波形整形回路８ｄに送られ、検出値が所定パルス幅のパルス信号に波形整形されて、常時３方向に出力される。その一つは分周回路８ｅに送られ、２個のパルス信号が１個のパルス信号に変換される。また、他の一つは直接出力され、１個のパルス信号に１個のパルス信号が出力される。さらに、残りの一つは逓倍回路８ｆに送られ、１個のパルス信号が２個のパルス信号に変換される。そのため、有底ロータ１回転当たりの希望流量パルス数に対応して出力端を選択して、これを出力回路１０に接続することにより出力回路１０から有底ロータ１回転当たり希望の流量パルスが得られ、磁気センサ８は１種類あれば、表示部９で最適な流量表示を行うことができる。
【００１１】
【発明の効果】
以上説明したように、本発明は１個の磁気センサでロータ１回転あたり任意の流量パルスを取り出せるように構成しているため、ロータ１回転当たりの希望の流量パルス数に応じてパルス発生回路の出力端を選択すればよく、ロータ１回転当たりの希望の流量パルスが変更になっても、１個の磁気センサで対応でき、磁気センサの交換作業が不要となるばかりか、その在庫管理も極めて簡単となる等の利点がある。
【図面の簡単な説明】
【図１】本発明に係る磁気センサの構成を示すブロック図である。
【図２】本発明にロータリピストン型流量計の断面図である。
【図３】本発明に係る磁気抵抗素子の感度を説明する説明図である。
【符号の説明】
１  ロータリピストン型流量計
２  流量計本体
２ａ  計量室
２ｂ  環状内壁
２ｃ  支軸
３  偏心軸受
４  有底ロータ
４ａ  中心軸
５  マグネット
６  離隔板
７  計量室蓋
８  磁気センサ
８ａ  磁性抵抗素子
８ｂ  パルス発生回路
８ｃ  増幅回路
８ｄ  波形整形回路
８ｅ  分周回路
８ｆ  逓倍回路
９  表示部
１０  出力回路
【図１】
2005024304.tif 000003
【図２】
2005024304.tif 000004
【図３】
2005024304.tif 000005